(57)【要約】【課題】音楽再生機能を備えた携帯端末装置で音楽再生中に、ユーザの耳などからヘッドホンが外された場合、その時点で再生中の音楽を停止させ、ヘッドホンが再び装着されると、停止中の音楽の再生を再開する。【解決手段】携帯端末装置１０は、楽曲データを記憶する記憶手段１５と、楽曲データを復号してアナログ電気信号を生成する再生手段１６と、アナログ電気信号を音に変換するヘッドホン３０を着脱可能に接続するヘッドホン接続手段１７と、ヘッドホン３０がユーザの耳に装着されているかどうかを判定する耳装着判定手段１９と、その判定結果に基づいて楽曲データの再生処理を制御する主制御手段１１とを備える。主制御手段１１は、楽曲データの再生中に、ヘッドホン３０がユーザの耳から外されたと判定した場合、前記楽曲データの再生を一時停止し、ヘッドホン３０が再び装着されたと判定した場合、所定の再生開始位置から再生再開するように制御する。【選択図】図３
2007121694.tif 000002
【特許請求の範囲】
【請求項１】
楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置において、前記ヘッドホンが前記ヘッドホン接続手段に接続されているかどうかを判定する判定手段と、該判定手段の判定結果に基づいて楽曲データの再生処理を制御する制御手段とを備え、該制御手段は、楽曲データの再生中に、前記ヘッドホンが前記ヘッドホン接続手段から取り外されたと判定した場合、前記楽曲データの再生を一時停止し、前記ヘッドホンが前記ヘッドホン接続手段に再び接続されたと判定した場合、所定の再生開始位置から再生再開するように制御することを特徴とする携帯端末装置。
【請求項２】
楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置において、前記ヘッドホンがユーザの耳に装着されているかどうかを判定する判定手段と、該判定手段の判定結果に基づいて楽曲データの再生処理を制御する制御手段とを備え、該制御手段は、楽曲データの再生中に、前記ヘッドホンが前記ユーザの耳から外されたと判定した場合、前記楽曲データの再生を一時停止し、前記ヘッドホンが前記ユーザの耳に再び装着されたと判定した場合、所定の再生開始位置から再生再開するように制御することを特徴とする携帯端末装置。
【請求項３】
請求項２に記載の携帯端末装置において、前記ヘッドホンは、前記ユーザの耳に装着されているかどうかを検知するための検知手段を備え、前記判定手段は、前記検知手段からの出力信号に基づいて前記ヘッドホンが前記ユーザの耳に装着されているかどうかを判定することを特徴とする携帯端末装置。
【請求項４】
請求項１又は２に記載の携帯端末装置において、前記制御手段は、前記所定の再生開始位置として、前記楽曲データの再生を一時停止した位置から再生再開させることを特徴とする携帯端末装置。
【請求項５】
請求項１又は２に記載の携帯端末装置において、前記制御手段は、前記所定の再生開始位置として、前記楽曲データの再生を一時停止した位置の所定時間前の位置から再生再開させることを特徴とする携帯端末装置。
【請求項６】
請求項１又は２に記載の携帯端末装置において、前記制御手段は、前記所定の再生開始位置として、前記楽曲データの再生を一時停止した位置の所定時間前の位置が前の楽曲データに含まれる場合、前記楽曲データの先頭位置から再生再開させることを特徴とする携帯端末装置。
【請求項７】
請求項１又は２に記載の携帯端末装置において、前記制御手段は、前記所定の再生開始位置として、前記一時停止した楽曲データの先頭位置から再生再開させることを特徴とする携帯端末装置。
【請求項８】
請求項１又は２に記載の携帯端末装置において、前記制御手段は、前記所定の再生開始位置として、前記一時停止した楽曲データの次の楽曲データの先頭位置から再生再開させることを特徴とする携帯端末装置。
【請求項９】
請求項１又は２に記載の携帯端末装置において、前記制御手段は、前記所定の再生開始位置として、前記楽曲データの再生を一時停止した位置が前記楽曲データの終わり位置から所定時間以内に含まれる場合、次の楽曲データの先頭位置から再生再開させることを特徴とする携帯端末装置。
【請求項１０】
請求項４乃至９のいずれか１に記載の携帯端末装置において、前記制御手段は、楽曲データの再生を開始するときに、該楽曲データの音量レベルを漸次大きくしながら、所定の音量レベルにすることを特徴とする携帯端末装置。
【請求項１１】
音楽再生機能を備えた携帯端末装置に着脱可能に接続されるヘッドホンにおいて、ユーザの耳に装着されているかどうかを検知する検知手段を備え、該検知手段の出力信号を前記携帯端末装置に送出することを特徴とするヘッドホン。
【請求項１２】
楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置の再生制御方法において、前記ヘッドホンが前記ヘッドホン接続手段に接続されているかどうかを判定するステップと、楽曲データの再生中に、前記ヘッドホンが前記ヘッドホン接続手段から取り外されたと判定した場合、前記楽曲データの再生を一時停止し、前記ヘッドホンが前記ヘッドホン接続手段に再び接続されたと判定した場合、所定の再生開始位置から再生再開するように制御するステップとを有することを特徴とする携帯端末装置の再生制御方法。
【請求項１３】
楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置の再生制御方法において、前記ヘッドホンがユーザの耳に装着されているかどうかを判定するステップと、楽曲データの再生中に、前記ヘッドホンが前記ユーザの耳から外されたと判定した場合、前記楽曲データの再生を一時停止し、前記ヘッドホンが前記ユーザの耳に再び装着されたと判定した場合、所定の再生開始位置から再生再開するように制御するステップとを有することを特徴とする携帯端末装置の再生制御方法。
【発明の詳細な説明】
【技術分野】
【０００１】
本発明は、携帯端末装置、ヘッドホン、及び携帯端末装置の再生制御方法、より詳細には、音楽再生機能を備えた携帯端末装置、携帯端末装置に着脱可能なヘッドホン、及び携帯端末装置の再生制御方法に関する。
【背景技術】
【０００２】
携帯電話機やＰＨＳ（Ｐｅｒｓｏｎａｌ  Ｈａｎｄｙｐｈｏｎｅ  Ｓｙｓｔｅｍ）などの携帯端末装置は、ますます高機能化、多機能化が進められており、近年では、任意の符号化アルゴリズムでデジタル符号化された音楽データ（楽曲データ）の再生機能を搭載した機種も販売されている。
【０００３】
音楽再生機能を備えた携帯端末装置は、電波を送受信して基地局との双方向通信を行う手段と、デジタル音楽データを記憶する手段と、該記憶されたデジタル音楽データを復号してアナログ電気信号を生成する手段と、アナログ電気信号を音に変換するヘッドホンを着脱可能に接続する手段とを備えている。このような構成により、ネットワークを介して接続されたサーバからダウンロードするなどして取得したデジタル音楽データを、ヘッドホンを介して再生することが可能となる。ユーザは、携帯端末装置とヘッドホンを携帯することで、いつでもどこでも好きな音楽データを入手して、場所を選ばずに、ヘッドホンで音楽を聴くことができる。
【０００４】
ここで、ユーザが音楽再生の停止操作を行うことなく、ヘッドホンを耳から外したり、あるいは、ヘッドホンを携帯端末装置から抜いたりした場合に、携帯端末装置は音楽再生を継続しているため、ユーザはヘッドホンを外している間に再生された箇所を聴き逃してしまうということが起こり得る。このような場合、ユーザは当該箇所を巻き戻して再度再生させなくてはならず、非常に煩わしい作業を行わなくてはならなかった。また、ユーザがヘッドホンを耳から外したときに、停止操作を行わないと、音楽再生が継続してしまい、携帯端末装置に内蔵されている電池の消耗を早めてしまうことにもなる。
【０００５】
上記に対して、ユーザがヘッドホンを耳から外すときに、一時停止ボタンを操作して、音楽再生を一時停止させればよいが、ヘッドホンを外す度に一時停止させ、さらに、ヘッドホンを耳に再装着したときに、一時停止解除ボタンを操作して音楽再生を再開させる必要があり、ユーザにとってはやはり煩わしい作業となる。
【０００６】
上記のごとく課題は、音楽再生機能が付加された携帯電話機やＰＨＳに限らず、ＭＰ３（ＭＰＥＧ−１  Ａｕｄｉｏ  Ｌａｙｅｒ−３）プレーヤなどの各種携帯音楽機器においても共通する課題である。
このような課題を解決するために、例えば、特許文献１には、音楽再生の停止忘れを防止するようにした携帯端末装置が開示されている。この携帯端末装置は、ヘッドホンがユーザの耳に装着されているか否かを識別する手段を有し、音楽再生中に、ヘッドホンがユーザの耳から外れたことを検出すると、その時点で音楽再生を自動停止するようにしている。
【特許文献１】特開２００３−２３４７９号公報
【発明の開示】
【発明が解決しようとする課題】
【０００７】
ここで、上述した音楽再生の自動停止機能に加えて、ヘッドホンの再装着をトリガとして音楽再生が自動的に再開されるようにすれば、ユーザはヘッドホンの着脱だけで音楽再生／停止を操作することができ、操作キーを操作するという煩わしい作業が必要なくなる。
【０００８】
しかしながら、上記特許文献１に記載の発明は、ユーザが携帯音楽プレーヤ等の携帯端末装置で音楽を聴いているときに、ユーザの耳からヘッドホンが外されると、その時点で再生中の音楽を自動停止させるようにしたものであるが、ヘッドホンがユーザの耳に再び装着されたときに、停止中の音楽を自動的に再開させるための構成は記載されていない。
【０００９】
本発明は、上述のごとき実情に鑑みてなされたものであり、音楽再生機能を備えた携帯端末装置で音楽を聴いているときに、ユーザの耳などからヘッドホンが外された場合、その時点で再生中の音楽を停止させ、さらに、ヘッドホンが再び装着されたときに、停止中の音楽の再生を再開できるようにすること、を目的とする。
【課題を解決するための手段】
【００１０】
上記課題を解決するために、本発明の第１の技術手段は、楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置において、前記ヘッドホンが前記ヘッドホン接続手段に接続されているかどうかを判定する判定手段と、該判定手段の判定結果に基づいて楽曲データの再生処理を制御する制御手段とを備え、該制御手段は、楽曲データの再生中に、前記ヘッドホンが前記ヘッドホン接続手段から取り外されたと判定した場合、前記楽曲データの再生を一時停止し、前記ヘッドホンが前記ヘッドホン接続手段に再び接続されたと判定した場合、所定の再生開始位置から再生再開するように制御することを特徴としたものである。
【００１１】
第２の技術手段は、楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置において、前記ヘッドホンがユーザの耳に装着されているかどうかを判定する判定手段と、該判定手段の判定結果に基づいて楽曲データの再生処理を制御する制御手段とを備え、該制御手段は、楽曲データの再生中に、前記ヘッドホンが前記ユーザの耳から外されたと判定した場合、前記楽曲データの再生を一時停止し、前記ヘッドホンが前記ユーザの耳に再び装着されたと判定した場合、所定の再生開始位置から再生再開するように制御することを特徴としたものである。
【００１２】
第３の技術手段は、第２の技術手段において、前記ヘッドホンは、前記ユーザの耳に装着されているかどうかを検知するための検知手段を備え、前記判定手段は、前記検知手段からの出力信号に基づいて前記ヘッドホンが前記ユーザの耳に装着されているかどうかを判定することを特徴としたものである。
【００１３】
第４の技術手段は、第１又は第２の技術手段において、前記制御手段は、前記所定の再生開始位置として、前記楽曲データの再生を一時停止した位置から再生再開させることを特徴としたものである。
【００１４】
第５の技術手段は、第１又は第２の技術手段において、前記制御手段は、前記所定の再生開始位置として、前記楽曲データの再生を一時停止した位置の所定時間前の位置から再生再開させることを特徴としたものである。
【００１５】
第６の技術手段は、第１又は第２の技術手段において、前記制御手段は、前記所定の再生開始位置として、前記楽曲データの再生を一時停止した位置の所定時間前の位置が前の楽曲データに含まれる場合、前記楽曲データの先頭位置から再生再開させることを特徴としたものである。
【００１６】
第７の技術手段は、第１又は第２の技術手段において、前記制御手段は、前記所定の再生開始位置として、前記一時停止した楽曲データの先頭位置から再生再開させることを特徴としたものである。
【００１７】
第８の技術手段は、第１又は第２の技術手段において、前記制御手段は、前記所定の再生開始位置として、前記一時停止した楽曲データの次の楽曲データの先頭位置から再生再開させることを特徴としたものである。
【００１８】
第９の技術手段は、第１又は第２の技術手段において、前記制御手段は、前記所定の再生開始位置として、前記楽曲データの再生を一時停止した位置が前記楽曲データの終わり位置から所定時間以内に含まれる場合、次の楽曲データの先頭位置から再生再開させることを特徴としたものである。
【００１９】
第１０の技術手段は、第４乃至第９のいずれか１の技術手段において、前記制御手段は、楽曲データの再生を開始するときに、該楽曲データの音量レベルを漸次大きくしながら、所定の音量レベルにすることを特徴としたものである。
【００２０】
第１１の技術手段は、音楽再生機能を備えた携帯端末装置に着脱可能に接続されるヘッドホンにおいて、ユーザの耳に装着されているかどうかを検知する検知手段を備え、該検知手段の出力信号を前記携帯端末装置に送出することを特徴としたものである。
【００２１】
第１２の技術手段は、楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置の再生制御方法において、前記ヘッドホンが前記ヘッドホン接続手段に接続されているかどうかを判定するステップと、楽曲データの再生中に、前記ヘッドホンが前記ヘッドホン接続手段から取り外されたと判定した場合、前記楽曲データの再生を一時停止し、前記ヘッドホンが前記ヘッドホン接続手段に再び接続されたと判定した場合、所定の再生開始位置から再生再開するように制御するステップとを有することを特徴としたものである。
【００２２】
第１３の技術手段は、楽曲データを記憶する記憶手段と、該記憶された楽曲データを復号してアナログ電気信号を生成する再生手段と、該アナログ電気信号を音に変換するヘッドホンを着脱可能に接続するヘッドホン接続手段とを備えた携帯端末装置の再生制御方法において、前記ヘッドホンがユーザの耳に装着されているかどうかを判定するステップと、楽曲データの再生中に、前記ヘッドホンが前記ユーザの耳から外されたと判定した場合、前記楽曲データの再生を一時停止し、前記ヘッドホンが前記ユーザの耳に再び装着されたと判定した場合、所定の再生開始位置から再生再開するように制御するステップとを有することを特徴としたものである。
【発明の効果】
【００２３】
本発明によれば、音楽再生機能を備えた携帯端末装置で音楽を聴いているときに、ユーザの耳などからヘッドホンが外された場合、その時点で再生中の音楽を停止させ、さらに、ヘッドホンが再び装着されたときに、停止中の音楽の再生を再開できるため、ユーザはヘッドホンを外すときに一時停止ボタン／一時停止解除（再生）ボタンをいちいち操作する必要がなく、操作の簡略化を図ることができる。
【発明を実施するための最良の形態】
【００２４】
本発明に係る携帯端末装置は、音楽再生機能を備えた携帯電話機，ＰＨＳ，ＰＤＡ（Ｐｅｒｓｏｎａｌ  Ｄｉｇｉｔａｌ  Ａｓｓｉｓｔａｎｔ）や、音楽再生専用の携帯音楽機器（携帯型のＣＤ再生装置、ＭＤ再生装置、半導体オーディオ機器などを含む）などの音楽再生機能を備えた携帯端末全般に適用され、任意の符号化アルゴリズム（例えば、ＭＰ３など）でデジタル符号化されたデジタル音楽データ（以下、楽曲データという）を再生する機能を備える。以下、添付の図面に基づいて本発明の各実施の形態について説明する。
【００２５】
（第１の実施形態）
図１は、本発明の第１の実施形態に係る携帯端末装置の構成例を示すブロック図で、図中、１０は携帯端末装置で、該携帯端末装置１０は、装置全体を制御する主制御手段１１と、ユーザからの操作入力を受け付ける操作キーや各種情報を表示出力する表示部等を備えたユーザインタフェース手段１２と、無線通信機能を制御する呼制御手段１３と、電波を送受信して基地局２０との双方向通信を行う無線手段１４と、楽曲データを記憶する記憶手段１５と、記憶手段１５に記憶されている楽曲データを復号してアナログ電気信号を生成する再生手段１６と、アナログ電気信号を音に変換するヘッドホン３０を着脱可能に接続するヘッドホン接続手段１７と、ヘッドホン３０がヘッドホン接続手段１７に接続されているかどうかを判定するヘッドホン接続判定手段１８と、を備えて構成されている。
【００２６】
主制御手段１１は、各種機能に応じた制御プログラムを格納するＲＯＭ、プログラムの実行領域であるＲＡＭ、プログラムを実行するためのＣＰＵを備え、ユーザインタフェース手段１２から入力されたユーザ操作に応じたプログラムを実行することで、音声通話機能、音楽再生機能、及び個人情報管理機能など、様々な機能の動作処理を制御する。例えば、ユーザインタフェース手段１２から楽曲データの再生指示がなされた場合、主制御手段１１は、再生手段１６に対して、記憶手段１５に記憶されている楽曲データを読み出して再生を行うように指示する。
【００２７】
ユーザインタフェース手段１２は、テンキーなどのキー入力部と、マイクやスピーカなどの音声入出力部と、ＬＣＤ（Ｌｉｑｕｉｄ  Ｃｒｙｓｔａｌ  Ｄｉｓｐｌａｙ）などの表示部と、を備えて構成される入出力手段である。
【００２８】
呼制御手段１３は、主制御手段１１から与えられる指示に基づいて、無線手段１４の動作制御を行うための回路であり、送受信信号に対するハードウェア処理を実現する回路や、音声通話（電話機能）に必要な周辺回路などを含んでいる。
【００２９】
無線手段１４は、呼制御手段１３から与えられる指示に基づいて、送受信信号の周波数設定や変復調などを行うための回路である。なお、無線手段１４に接続されるアンテナには、例えば、携帯性や格納性に優れたロッドアンテナが好適に用いられる。
【００３０】
記憶手段１５は、ネットワークに接続されたサーバからダウンロードするなどして取得された楽曲データを記憶する手段であって、例えば、フラッシュメモリなどの不揮発性半導体メモリや、ハードディスクなどの磁気記憶媒体などで構成されている。また、記憶手段１５は、メモリカードなどの外部記録媒体であってもよく、この場合、携帯端末装置１０は、記憶手段１５を着脱可能に装着できるようにする。
【００３１】
再生手段１６は、主制御手段１１から与えられる指示に基づいて、記憶手段１５に記憶されている楽曲データを読み出し、予め決められたアルゴリズムにより、楽曲データを復号してアナログ電気信号を生成する。生成されたアナログ電気信号は、ヘッドホン接続手段１７を介してヘッドホン３０へ送出される。
【００３２】
ヘッドホン接続手段１７は、ヘッドホン３０を再生手段１６の出力端子に着脱するためのコネクタであり、その端子形状は任意である。
【００３３】
ヘッドホン接続判定手段１８は、ヘッドホン接続手段１７におけるヘッドホン３０の接続状態を常時監視しており、ヘッドホン３０がヘッドホン接続手段１７から取り外されたと判定した場合には、その旨を主制御手段１１に通知する。
【００３４】
ヘッドホン３０は、ユーザの耳に装着されるイヤーピースであって、ヘッドホン接続手段１７を介して携帯端末装置１０に着脱可能に接続される。携帯端末装置１０で楽曲データを再生する場合には、ヘッドホン３０がヘッドホン接続手段１７に接続される。これにより、ユーザはヘッドホン３０を介して所望の楽曲を聴くことができる。
【００３５】
図１において、主制御手段１１は、楽曲データの再生中に、ヘッドホン３０がヘッドホン接続手段１７から取り外されたと判定した場合、楽曲データの再生を一時停止し、ヘッドホン３０がヘッドホン接続手段１７に再び接続されたと判定した場合、所定の再生開始位置から再生再開するように制御する。この再生開始位置は、単に一時停止した位置から再生再開するようにしてもよいが、再生開始位置を予めユーザにより設定可能としてもよい。これについては後述する図５乃至図７において説明する。
【００３６】
図２は、図１に示した携帯端末装置１０による楽曲データの再生一時停止処理及び再生再開処理の一例を説明するためのフロー図である。なお、本例に示すフローは、ヘッドホン３０がヘッドホン接続手段１７に接続された状態から開始するものとする。
【００３７】
まず、携帯端末装置１０は、ヘッドホン接続判定手段１８により、ヘッドホン３０が携帯端末装置１０（ヘッドホン接続手段１７）から取り外されたかどうかを判定し（ステップＳ１）、ヘッドホン３０が取り外されていないと判定された場合（ＮＯの場合）、ステップＳ１において、引き続き判定処理が行われる。一方、ステップＳ１において、ヘッドホン３０が取り外されたと判定された場合（ＹＥＳの場合）、その旨が主制御手段１１に通知される。
【００３８】
次に、主制御手段１１は、ヘッドホン接続判定手段１８からの通知により、楽曲データが現在再生中かどうかを判定し（ステップＳ２）、楽曲データが現在再生中でないと判定された場合（ＮＯの場合）、ヘッドホン３０が取り外されたとしても、楽曲データの再生を自動停止する必要がないため、後のステップＳ３〜ステップＳ６をスキップして、一連の処理を終了する。また、ステップＳ２において、楽曲データが現在再生中と判定された場合（ＹＥＳの場合）、主制御手段１１は、再生手段１６に対して、楽曲データの再生を一時停止するように指示を与える（ステップＳ３）。再生手段１６は、主制御手段１１からの指示に従って、楽曲データを一時停止する。
【００３９】
次に、主制御手段１１は、楽曲データの再生を再開させる位置を確定する処理を行う（ステップＳ４）。ここでは、例えば、楽曲データを一時停止した位置を再生再開位置とする。
【００４０】
次に、携帯端末装置１０は、ヘッドホン接続判定手段１８により、ヘッドホン３０が携帯端末装置１０（ヘッドホン接続手段１７）に再び接続されたかどうかを判定し（ステップＳ５）、ヘッドホン３０が接続されていないと判定された場合（ＮＯの場合）、ステップＳ５において、引き続き判定処理が行われる。一方、ステップＳ５において、ヘッドホン３０が接続されたと判定された場合（ＹＥＳの場合）、その旨が主制御手段１１に通知される。
【００４１】
次に、主制御手段１１は、ヘッドホン接続判定手段１８からの通知により、ステップＳ４で確定した再生再開位置（ここでは一時停止した位置）から楽曲データの再生を再開する（ステップＳ６）。なお、本例では、ステップＳ６の後処理を終了しているが、ステップＳ６で再生再開後にステップＳ１に戻り、以下のステップを繰り返すようにしてもよい。
【００４２】
ここで、ステップＳ４における再生再開位置の確定処理は、ステップＳ５の後で実行するようにしてもよい。また、ステップＳ４における再生再開位置の確定処理と、ステップＳ３における再生一時停止処理とを逆にしてもよい。この場合、再生再開位置を確定した後に、楽曲データの再生を一時停止する。
【００４３】
このように、楽曲データの再生中に、ヘッドホン３０がヘッドホン接続手段１７から取り外された時点で、楽曲データが一時停止され、さらに、ヘッドホン３０がヘッドホン接続手段１７に再び接続されると、所定の再生再開位置から再生が再開される。このため、ユーザはヘッドホン３０を取り外すだけで楽曲を一時停止させ、さらに、ヘッドホン３０を接続するだけで、再生を再開させることができるため、従来のようにヘッドホン３０を接続後に再生開始操作を行う必要がなくなり、操作をより簡略にすることができる。また、音楽再生の停止忘れによる無駄な電池消耗を防止することが可能となる。
【００４４】
（第２の実施形態）
図３は、本発明の第２の実施形態に係る携帯端末装置の構成例を示すブロック図である。本実施形態の携帯端末装置１０は、主制御手段１１、ユーザインタフェース手段１２、呼制御手段１３、無線手段１４、記憶手段１５、再生手段１６、ヘッドホン接続手段１７、及び耳装着判定手段１９を備えて構成されている。この耳装着判定手段１９は、第１の実施形態におけるヘッドホン接続判定手段１８の代わりに設けられている。ここで、第１の実施形態の携帯端末装置１０と同様の部分（主制御手段１１、ユーザインタフェース手段１２、呼制御手段１３、無線手段１４、記憶手段１５、再生手段１６、ヘッドホン接続手段１７）については、図１と同様の符号を付し、その説明は省力する。
【００４５】
耳装着判定手段１９は、ヘッドホン３０がユーザの耳に装着されているかどうかを常時監視しており、ヘッドホン３０がユーザの耳から外されたと判定した場合、その旨を主制御手段１１に通知する。また、ヘッドホン３０は、ヘッドホン３０がユーザの耳に装着されているかどうかを検知するためのセンサである耳装着検知手段３１を備えている。耳装着検知手段３１は、ヘッドホン３０がユーザの耳から外されたことを検知すると、その旨を通知するための出力信号を耳装着判定手段１９に送出する。
【００４６】
耳装着判定手段１９は、耳装着検知手段３１からの出力信号に基づいて、ヘッドホン３０がユーザの耳に装着されているかどうかを判定する。なお、耳装着検知手段３１としては、機械的センサ、光学的センサなどが考えられるが、その検出方法について特に限定するものではない。
【００４７】
図２において、主制御手段１１は、楽曲データの再生中に、耳装着検知手段３１からの出力信号に基づいて、ヘッドホン３０がユーザの耳から外されたと判定した場合、楽曲データの再生を一時停止し、ヘッドホン３０がユーザの耳に再び装着されたと判定した場合、所定の再生開始位置から再生再開するように制御する。この再生開始位置は、上記第１の実施形態と同様に、単に一時停止した位置から再生再開するようにしてもよいが、再生開始位置を予めユーザにより設定可能としてもよい。
【００４８】
図４は、図３に示した携帯端末装置１０による楽曲データの再生一時停止処理及び再生再開処理の一例を説明するためのフロー図である。なお、本例に示すフローは、ヘッドホン３０がユーザの耳に装着された状態から開始するものとする。
【００４９】
まず、携帯端末装置１０は、耳装着判定手段１９により、ヘッドホン３０がユーザの耳から外されたかどうかを判定し（ステップＳ１１）、ヘッドホン３０がユーザの耳から外されていないと判定された場合（ＮＯの場合）、ステップＳ１１において、引き続き判定処理が行われる。一方、ステップＳ１１において、ヘッドホン３０がユーザの耳から外されたと判定された場合（ＹＥＳの場合）、その旨が主制御手段１１に通知される。
【００５０】
次に、主制御手段１１は、耳装着判定手段１９からの通知により、楽曲データが現在再生中かどうかを判定し（ステップＳ１２）、楽曲データが現在再生中でないと判定された場合（ＮＯの場合）、ヘッドホン３０がユーザの耳から外されたとしても、楽曲データの再生を自動停止する必要がないため、後のステップＳ１３〜ステップＳ１６をスキップして、一連の処理を終了する。また、ステップＳ１２において、楽曲データが現在再生中と判定された場合（ＹＥＳの場合）、主制御手段１１は、再生手段１６に対して、楽曲データの再生を一時停止するように指示を与える（ステップＳ１３）。再生手段１６は、主制御手段１１からの指示に従って、楽曲データを一時停止する。
【００５１】
次に、主制御手段１１は、楽曲データの再生を再開させる位置を確定する処理を行う（ステップＳ１４）。ここでは、例えば、楽曲データを一時停止した位置を再生再開位置とする。
【００５２】
次に、携帯端末装置１０は、耳装着判定手段１９により、ヘッドホン３０がユーザの耳に再び装着されたかどうかを判定し（ステップＳ１５）、ヘッドホン３０がユーザの耳に装着されていないと判定された場合（ＮＯの場合）、ステップＳ１５において、引き続き判定処理が行われる。一方、ステップＳ１５において、ヘッドホン３０がユーザの耳に装着されたと判定された場合（ＹＥＳの場合）、その旨が主制御手段１１に通知される。
【００５３】
次に、主制御手段１１は、耳装着判定手段１９からの通知により、ステップＳ１４で確定した再生再開位置（ここでは一時停止した位置）から楽曲データの再生を再開する（ステップＳ１６）。なお、本例では、ステップＳ１６後の処理を終了しているが、ステップＳ１６で再生再開後にステップＳ１１に戻り、以下のステップを繰り返すようにしてもよい。
【００５４】
ここで、ステップＳ１４における再生再開位置の確定処理は、ステップＳ１５の後で実行するようにしてもよい。また、ステップＳ１４における再生再開位置の確定処理と、ステップＳ１３における再生一時停止処理とを逆にしてもよい。この場合、再生再開位置を確定した後に、楽曲データの再生を一時停止する。
【００５５】
このように、楽曲データの再生中に、ヘッドホン３０がユーザの耳から外された時点で、楽曲データが一時停止され、さらに、ヘッドホン３０がユーザの耳に再び接続されると、所定の再生再開位置から再生が再開される。このため、ユーザはヘッドホン３０を耳から外すだけで楽曲を一時停止させ、さらに、ヘッドホン３０を耳に装着するだけで、再生を再開させることができるため、従来のようにヘッドホン３０を装着後に再生開始操作を行う必要がなくなり、操作をより簡略にすることができる。また、音楽再生の停止忘れによる無駄な電池消耗を防止することが可能となる。
【００５６】
図５は、楽曲データを一時停止した後に再生再開させる位置の一例を示す図である。図中、ｍ１は現在の（一時停止させる）楽曲データ、ｍ２は前の楽曲データ、Ｓは一時停止位置、Ｒは再生再開位置を示す。以下、前述の図３に基づいて説明する。
【００５７】
図５（Ａ）において、楽曲データｍ１を再生中に、ヘッドホン３０がユーザの耳から外れたときに、楽曲データｍ１の再生を停止させる。このときの位置を再生停止位置Ｓとする。本例では、再生停止位置Ｓを再生再開位置Ｒとする。そして、ヘッドホン３０がユーザの耳に再び装着されたときに、楽曲データｍ１を再生再開位置Ｒから再生する。
【００５８】
図５（Ｂ）において、楽曲データｍ１の再生中に、ヘッドホン３０がユーザの耳から外れたときに、楽曲データｍ１の再生を再生停止位置Ｓで停止させる。本例では、再生停止位置Ｓから一定時間（ユーザにより設定可）前の位置を再生再開位置Ｒとする。そして、ヘッドホン３０がユーザの耳に再び装着されたときに、楽曲データｍ１を再生再開位置Ｒから再生する。
【００５９】
図５（Ｃ）において、楽曲データｍ１の再生中に、ヘッドホン３０がユーザの耳から外れたときに、楽曲データｍ１の再生を再生停止位置Ｓで停止させる。本例では、再生停止位置Ｓから一定時間（ユーザにより設定可）前の位置が前の楽曲データｍ２に含まれる場合、楽曲データｍ１の先頭位置を再生再開位置Ｒとする。そして、ヘッドホン３０がユーザの耳に再び装着されたときに、楽曲データｍ１を再生再開位置Ｒから再生する。
【００６０】
図５（Ｄ）において、楽曲データｍ１の再生中に、ヘッドホン３０がユーザの耳から外れたときに、楽曲データｍ１の再生を再生停止位置Ｓで停止させる。本例では、再生停止位置Ｓが楽曲データｍ１内に含まれている場合、楽曲データｍ１の先頭位置を再生再開位置Ｒとする。そして、ヘッドホン３０がユーザの耳に再び装着されたときに、楽曲データｍ１を再生再開位置Ｒから再生する。
【００６１】
図６は、楽曲データを一時停止した後に再生再開させる位置の他の例を示す図である。図中、ｍ１は現在の（一時停止させる）楽曲データ、ｍ３は次の楽曲データ、Ｓは一時停止位置、Ｒは再生再開位置を示す。
【００６２】
図６（Ａ）において、楽曲データｍ１の再生中に、ヘッドホン３０がユーザの耳から外れたときに、楽曲データｍ１の再生を再生停止位置Ｓで停止させる。本例では、再生停止位置Ｓが楽曲データｍ１内に含まれている場合、次の楽曲データｍ３の先頭位置を再生再開位置Ｒとする。そして、ヘッドホン３０がユーザの耳に再び装着されたときに、次の楽曲データｍ３を再生再開位置Ｒから再生する。
【００６３】
図６（Ｂ）において、楽曲データｍ１の再生中に、ヘッドホン３０がユーザの耳から外れたときに、楽曲データｍ１の再生を再生停止位置Ｓで停止させる。本例では、再生停止位置Ｓが楽曲データｍ１の終わり位置から一定時間（ユーザにより設定可）内に含まれている場合、次の楽曲データｍ３の先頭位置を再生再開位置Ｒとする。そして、ヘッドホン３０がユーザの耳に再び装着されたときに、次の楽曲データｍ３を再生再開位置Ｒから再生する。
【００６４】
図６（Ｃ）において、楽曲データｍ１の再生中に、ヘッドホン３０がユーザの耳から外れたときに、楽曲データｍ１の再生を再生停止位置Ｓで停止させる。本例では、再生停止位置Ｓが楽曲データｍ１のフェードアウト（すなわち、音量レベルが漸次小さくなる）区間内に含まれている場合、次の楽曲データｍ３の先頭位置を再生再開位置Ｒとする。そして、ヘッドホン３０がユーザの耳に再び装着されたときに、次の楽曲データｍ３を再生再開位置Ｒから再生する。
【００６５】
図５及び図６で説明したように、前述の図２におけるステップＳ４あるいは図４におけるステップＳ１４において、主制御手段１１は、楽曲データの再生を再開させる位置を確定する処理を行う。なお、どの位置から再生再開させるかはユーザ設定により任意に設定しておくことができる。このように、音楽の再生再開位置を予め設定しておくことができるため、ユーザはヘッドホンを装着したときに所望の位置から音楽の再生を再開させることができる。
【００６６】
ここで、例えば、大音量で聴いていた楽曲を一時停止したような場合、そのまま音量レベルが保持されてしまうと、再生再開したときに、大音量で楽曲の再生が始まってしまい、ユーザを驚かせてしまうということが起こり得る。このようなケースに対応するために、下記の図７に示すような方法を用いてもよい。
【００６７】
図７は、楽曲データの再生再開処理の一例を示す図である。図５及び図６に示した楽曲データｍ１，ｍ３の再生を再開させるときに、音量レベルを漸次大きくしながら（フェードインさせて）、所定の音量レベルになるように制御する。この音量レベルはユーザによって設定可能であるが、例えば、一時停止したときの音量レベルに戻すようにしてもよい。再生再開時の音量レベルの制御は主制御手段１１により実行される。これにより、楽曲の再生が再開されたときに、いきなり大音量で始まることがなく、ユーザを驚かせることがない。
【００６８】
以上説明したように、本発明によれば、音楽再生機能を備えた携帯端末装置で音楽を聴いているときに、ユーザの耳などからヘッドホンが外された場合、その時点で再生中の音楽を停止させ、さらに、ヘッドホンが再び装着されたときに、停止中の音楽の再生を再開できるため、ユーザはヘッドホンを外すときに一時停止ボタン／一時停止解除（再生）ボタンをいちいち操作する必要がなく、操作の簡略化を図ることができる。
また、音楽の再生再開位置を予め設定しておくことができるため、ユーザはヘッドホンを装着したときに所望の位置から音楽の再生を再開させることができる。
【図面の簡単な説明】
【００６９】
【図１】本発明の第１の実施形態に係る携帯端末装置の構成例を示すブロック図である。
【図２】図１に示した携帯端末装置による楽曲データの再生一時停止処理及び再生再開処理の一例を説明するためのフロー図である。
【図３】本発明の第２の実施形態に係る携帯端末装置の構成例を示すブロック図である。
【図４】図３に示した携帯端末装置による楽曲データの再生一時停止処理及び再生再開処理の一例を説明するためのフロー図である。
【図５】楽曲データを一時停止した後に再生再開させる位置の一例を示す図である。
【図６】楽曲データを一時停止した後に再生再開させる位置の他の例を示す図である。
【図７】楽曲データの再生再開処理の一例を示す図である。
【符号の説明】
【００７０】
１０…携帯端末装置、１１…主制御手段、１２…ユーザインタフェース手段、１３…呼制御手段、１４…無線手段、１５…記憶手段、１６…再生手段、１７…ヘッドホン接続手段、１８…ヘッドホン接続判定手段、１９…耳装着判定手段、２０…基地局、３０…ヘッドホン、３１…耳装着検知手段。
【図１】
2007121694.tif 000003
【図２】
2007121694.tif 000004
【図３】
2007121694.tif 000005
【図４】
2007121694.tif 000006
【図５】
2007121694.tif 000007
【図６】
2007121694.tif 000008
【図７】
2007121694.tif 000009